(57)【要約】【課題】簡易な構成で、優れた光学性能の維持と光学系の小型化とを両立させながら、広画角で高い変倍比が得られるズームレンズを提供する。【解決手段】この発明のズームレンズは、物体側から順に、正の屈折力を有する第１レンズ群ＧＲ1、負の屈折力を有する第２レンズ群ＧＲ2、正の屈折力を有する第３レンズ群ＧＲ3、および正の屈折力を有する第４レンズ群ＧＲ4が配置されて構成される。第１レンズ群ＧＲ1は、前記物体側から順に、負レンズＬ1（凹レンズ）、正レンズＬ2（凸レンズ）、および正レンズＬ3が（凸レンズ）が配置されて構成されている。また、第３レンズ群ＧＲ3は、前記物体側から順に、正レンズＬ7、正レンズＬ8、および負レンズＬ9が配置されて構成されている。そして、所定の条件を満足することにより、優れた光学性能の維持と光学系の小型化とを両立させながら、高い変倍比が得られる。【選択図】図１
2009180897.tif 000002
【特許請求の範囲】
【請求項１】
物体側から順に配置された、正の屈折力を有する第１レンズ群と、負の屈折力を有する第２レンズ群と、正の屈折力を有する第３レンズ群と、正の屈折力を有する第４レンズ群と、を備え、
前記第１レンズ群の焦点距離をｆ1、前記第２レンズ群の焦点距離をｆ2とするとき、次の条件式を満足することを特徴とするズームレンズ。
（１）  ｆ1／ｆ2＜−５
【請求項２】
ｄ線屈折率をｎｄとするとき、前記第１レンズ群は、少なくとも、ｎｄ＞１．８５を満足する凹レンズ１枚と、ｎｄ＞１．６５を満足する凸レンズ１枚を備えていることを特徴とする請求項１に記載のズームレンズ。
【請求項３】
物体側から順に配置された、正の屈折力を有する第１レンズ群と、負の屈折力を有する第２レンズ群と、正の屈折力を有する第３レンズ群と、正の屈折力を有する第４レンズ群と、を備え、
前記第３レンズ群を複数のレンズで構成し、前記第３レンズ群に含まれるレンズの最大のｄ線アッベ数をνｄmax、前記第３レンズ群に含まれるレンズの最小のｄ線アッベ数をνｄminとするとき、次の条件式を満足することを特徴とするズームレンズ。
（２）  νｄmax−νｄmin＞４０
【請求項４】
ｄ線屈折率をｎｄとするとき、前記第２レンズ群は、少なくとも、ｎｄ＞１．８を満足する凹レンズ１枚と、ｎｄ＞１．７５を満足する凹レンズ１枚を備えていることを特徴とする請求項３に記載のズームレンズ。
【請求項５】
物体側から順に配置された、正の屈折力を有する第１レンズ群と、負の屈折力を有する第２レンズ群と、正の屈折力を有する第３レンズ群と、正の屈折力を有する第４レンズ群と、を備え、
ｄ線屈折率をｎｄとするとき、
前記第１レンズ群は、少なくとも、ｎｄ＞１．８５を満足する凹レンズ１枚と、ｎｄ＞１．６５を満足する凸レンズ１枚を備え、
前記第２レンズ群は、少なくとも、ｎｄ＞１．８を満足する凹レンズ１枚と、ｎｄ＞１．７５を満足する凹レンズ１枚を備えており、
また、前記第３レンズ群を複数のレンズで構成し、
さらに、前記第１レンズ群の焦点距離をｆ1、前記第２レンズ群の焦点距離をｆ2、前記第３レンズ群に含まれるレンズの最大のｄ線アッベ数をνｄmax、前記第３レンズ群に含まれるレンズの最小のｄ線アッベ数をνｄminとするとき、次の条件式を満足することを特徴とするズームレンズ。
（１）  ｆ1／ｆ2＜−５
（２）  νｄmax−νｄmin＞４０
【請求項６】
前記第１レンズ群および前記第３レンズ群は固定されており、前記第２レンズ群を光軸に沿って移動させて変倍し、前記第４レンズ群を光軸に沿って移動させてフォーカシングを行うことを特徴とする請求項１〜５のいずれか一つに記載のズームレンズ。
【発明の詳細な説明】
【技術分野】
【０００１】
この発明は、ビデオカメラなどの小型撮像装置に搭載するのに最適な、広画角で、小型の高変倍率ズームレンズに関する。
【背景技術】
【０００２】
ビデオカメラなどの小型撮像装置は家庭用としても広く普及してきている。小型撮像装置に対しては、携帯性を重視した小型化や高画質化が常に求められている。そこで、近年では、そのような要求を満たすべく、多種、多様の高変倍率ズームレンズが提案されている（たとえば、下記特許文献１，２を参照。）。
【０００３】
たとえば、特許文献１に記載のズームレンズは、物体側から順に、正の屈折力を有する第１レンズ群、負の屈折力を有する第２レンズ群、正の屈折力を有する第３レンズ群、および正の屈折力を有する第４レンズ群が配置されている。前記第１レンズ群および前記第３レンズ群は固定されており、前記第２レンズ群を移動させて変倍し、前記第４レンズ群を移動させてフォーカシングを行う。特に、前記第３レンズ群は、最も物体側の面が凸である正レンズと、少なくとも１枚の負レンズを含む４枚以下のレンズで構成されている。前記第４レンズ群は、正レンズ２枚以内で構成され、少なくともその１面に光軸から離れるに従って屈折力が弱くなる非球面が形成されている。
【０００４】
一方、特許文献２に記載のズームレンズは、物体側から順に、正の屈折力を有する第１レンズ群、負の屈折力を有する第２レンズ群、正の屈折力を有する第３レンズ群、および正の屈折力を有する第４レンズ群が配置されている。前記第１レンズ群および前記第３レンズ群は固定されており、前記第２レンズ群を移動させて変倍し、前記第４レンズ群を移動させてフォーカシングを行う。特に、前記第３レンズ群は、最も物体側の面が凸面になっている正レンズ２枚と、１枚の負レンズで構成されている。前記第３レンズの最も像側に配置された負レンズにより、色収差を補正する。また、前記第３レンズ群に含まれている少なくとも１つのレンズ面に光軸から離れるに従って正の屈折力が弱くなる非球面を形成することで、光学系の小型化と球面収差の補正を図っている。また、前記第４レンズ群を１枚のレンズで構成し、少なくとも当該レンズの１面に光軸から離れるに従って屈折力が弱くなる非球面を形成することで、コマ収差・非点収差の補正を図っている。
【０００５】
上記各特許文献１，２に記載された従来のズームレンズは、良好な光学性能を維持したまま、光学系の小型化を損なうことなく、７．５倍程度の変倍比を確保することができる。
【０００６】
【特許文献１】特許第３１４７１６７号公報
【特許文献２】特許第３１４０４８９号公報
【発明の開示】
【発明が解決しようとする課題】
【０００７】
近年では、ビデオカメラなどの高変倍化の要求が強くなるのに伴い、これを可能とするズームレンズのさらなる高変倍化が期待されている。
【０００８】
しかしながら、上記特許文献に記載のズームレンズの構成では、８倍以上の変倍比を得ようとすると、高画素撮像素子に対応できるように、広角端〜望遠端に至るまでに発生する諸収差を良好に補正することが困難になる。特に、望遠端における諸収差の劣化が著しく、中でも色収差が大きくなるという問題が発生する。どうしても色収差を補正しようとすると、上記特許文献に示されているズームレンズの構成よりも光学系の全長を長くしなくては対応できず、今度は光学系の小型化が損なわれるという問題が発生する。
【０００９】
この発明は、上述した従来技術による問題点を解消するため、簡易な構成で、優れた光学性能の維持と光学系の小型化とを両立させながら、広画角で高い変倍比が得られるズームレンズを提供することを目的とする。
【課題を解決するための手段】
【００１０】
上述した課題を解決し、目的を達成するため、請求項１の発明にかかるズームレンズは、物体側から順に配置された、正の屈折力を有する第１レンズ群と、負の屈折力を有する第２レンズ群と、正の屈折力を有する第３レンズ群と、正の屈折力を有する第４レンズ群と、を備え、前記第１レンズ群の焦点距離をｆ1、前記第２レンズ群の焦点距離をｆ2とするとき、次の条件式を満足することを特徴とする。
（１）  ｆ1／ｆ2＜−５
【００１１】
この請求項１に記載の発明によれば、広角端における画角を大きく（半画角が３０度以上）確保することができるようになる。
【００１２】
また、請求項２の発明にかかるズームレンズは、請求項１に記載の発明において、ｄ線屈折率をｎｄとするとき、前記第１レンズ群は、少なくとも、ｎｄ＞１．８５を満足する凹レンズ１枚と、ｎｄ＞１．６５を満足する凸レンズ１枚を備えていることを特徴とする。
【００１３】
この請求項２に記載の発明によれば、前記第１レンズ群のｄ線屈折率を強化して、ズームレンズの全長を短くすることが可能になる。
【００１４】
また、請求項３の発明にかかるズームレンズは、物体側から順に配置された、正の屈折力を有する第１レンズ群と、負の屈折力を有する第２レンズ群と、正の屈折力を有する第３レンズ群と、正の屈折力を有する第４レンズ群と、を備え、前記第３レンズ群を複数のレンズで構成し、前記第３レンズ群に含まれるレンズの最大のｄ線アッベ数をνｄmax、前記第３レンズ群に含まれるレンズの最小のｄ線アッベ数をνｄminとするとき、次の条件式を満足することを特徴とする。
（２）  νｄmax−νｄmin＞４０
【００１５】
この請求項３に記載の発明によれば、前記第２レンズ群で発生した色収差を良好に補正することができる。特に、前記第２レンズ群のｄ線屈折率が強化され、発生する色収差が顕著な場合に特に有効である。
【００１６】
また、請求項４の発明にかかるズームレンズは、請求項３に記載の発明において、ｄ線屈折率をｎｄとするとき、前記第２レンズ群は、少なくとも、ｎｄ＞１．８を満足する凹レンズ１枚と、ｎｄ＞１．７５を満足する凹レンズ１枚を備えていることを特徴とする。
【００１７】
この請求項４に記載の発明によれば、前記第２レンズ群のｄ線屈折率を強化して、ズームレンズの全長を短くすることが可能になる。
【００１８】
また、請求項５の発明にかかるズームレンズは、物体側から順に配置された、正の屈折力を有する第１レンズ群と、負の屈折力を有する第２レンズ群と、正の屈折力を有する第３レンズ群と、正の屈折力を有する第４レンズ群と、を備え、ｄ線屈折率をｎｄとするとき、前記第１レンズ群は、少なくとも、ｎｄ＞１．８５を満足する凹レンズ１枚と、ｎｄ＞１．６５を満足する凸レンズ１枚を備え、前記第２レンズ群は、少なくとも、ｎｄ＞１．８を満足する凹レンズ１枚と、ｎｄ＞１．７５を満足する凹レンズ１枚を備えており、また、前記第３レンズ群を複数のレンズで構成し、さらに、前記第１レンズ群の焦点距離をｆ1、前記第２レンズ群の焦点距離をｆ2、前記第３レンズ群に含まれるレンズの最大のｄ線アッベ数をνｄmax、前記第３レンズ群に含まれるレンズの最小のｄ線アッベ数をνｄminとするとき、次の条件式を満足することを特徴とするズームレンズ。
（１）  ｆ1／ｆ2＜−５
（２）  νｄmax−νｄmin＞４０
【００１９】
この請求項５に記載の発明によれば、前記第１レンズ群および前記第２レンズ群のｄ線屈折率を強化して、ズームレンズの全長を短くすることが可能になる。また、広角端における画角を大きく（半画角が３０度以上）確保することができるようになる。さらに、前記第２レンズ群で発生する色収差を良好に補正することができるようになる。したがって、光学系の小型化を維持したまま、８倍以上の変倍比と広角端における３０度以上の半画角の確保を実現し、良好な色収差補正が可能なズームレンズが提供できる。
【００２０】
また、請求項６の発明にかかるズームレンズは、請求項１〜５のいずれか一つに記載の発明において、前記第１レンズ群および前記第３レンズ群は固定されており、前記第２レンズ群を光軸に沿って移動させて変倍し、前記第４レンズ群を光軸に沿って移動させてフォーカシングを行うことを特徴とする。
【００２１】
この請求項６に記載の発明によれば、変倍およびフォーカシングを行う際に、光学系全長が長くなることを防止し、ズームレンズの小型化を維持することができる。
【発明の効果】
【００２２】
この発明によれば、簡易な構成で、優れた光学性能の維持と光学系の小型化とを両立させながら、広画角で高い変倍比が得られるズームレンズを提供することができるという効果を奏する。具体的には、光学系の小型化を維持したまま、８倍以上の変倍比と広角端における３０度以上の半画角の確保を実現し、良好な色収差補正が可能なズームレンズが提供できる。
【発明を実施するための最良の形態】
【００２３】
以下、添付図面を参照して、この発明にかかるズームレンズの好適な実施の形態を詳細に説明する。
【００２４】
この実施の形態にかかるズームレンズは、物体側から順に配置された、正の屈折力を有する第１レンズ群と、負の屈折力を有する第２レンズ群と、正の屈折力を有する第３レンズ群と、正の屈折力を有する第４レンズ群と、を備えて構成される。
【００２５】
この実施の形態にかかるズームレンズでは、前記第１レンズ群および前記第３レンズ群は固定されており、前記第２レンズ群を光軸に沿って移動させて変倍し、前記第４レンズ群を光軸に沿って移動させてフォーカシングを行う。このようにすることで、光学系の全長を短く維持することができる。
【００２６】
この発明は、簡易な構成で、優れた光学性能の維持と光学系の小型化とを両立させながら、広画角で高い変倍比が得られるズームレンズを提供することを目的としている。そこで、かかる目的を達成するため、前述の構成に加えて、以下に示す条件を設定している。
【００２７】
まず、この実施の形態のズームレンズでは、前記第１レンズ群の焦点距離をｆ1、前記第２レンズ群の焦点距離をｆ2とするとき、次の条件式を満足することが好ましい。
（１）  ｆ1／ｆ2＜−５
【００２８】
条件式（１）は、この実施の形態のズームレンズにおける第１レンズ群の焦点距離と第２レンズ群の焦点距離との比率を規定し、広角端における画角を大きく確保するための条件を示す式である。条件式（１）を満足することにより、広角端において３０度以上の半画角を確保することができるようになる。この条件式（１）においてその上限を超えると、ズームレンズの広角端における画角を十分確保することができず、好ましくない。
【００２９】
さらに、ｄ線屈折率をｎｄとするとき、前記第１レンズ群は、少なくとも、ｎｄ＞１．８５を満足する凹レンズ１枚と、ｎｄ＞１．６５を満足する凸レンズ１枚を備えていることが好ましい。このようにすることで前記第１レンズ群のｄ線屈折率を強化して、この実施の形態にかかるズームレンズの全長を短くすることが可能になる。
【００３０】
また、この実施の形態のズームレンズにおいて、前記第３レンズ群を複数のレンズで構成し、前記第３レンズ群に含まれるレンズの最大のｄ線アッベ数をνｄmax、前記第３レンズ群に含まれるレンズの最小のｄ線アッベ数をνｄminとするとき、次の条件式を満足することが好ましい。
（２）  νｄmax−νｄmin＞４０
【００３１】
条件式（２）は、この実施の形態にかかるズームレンズの第３レンズ群を構成するレンズの最大のｄ線アッベ数と最小のｄ線アッベ数との差を規定する式である。この条件式（２）を満足することにより、前記第２レンズ群で発生した色収差を良好に補正することができる。特に、前記第２レンズ群のｄ線屈折率を強化したことにより、発生する色収差が顕著な場合に有効である。この条件式（２）においてその下限を下回ると、前記第２レンズ群で発生する色収差を補正しきれなくなるおそれがある。
【００３２】
さらに、ｄ線屈折率をｎｄとするとき、前記第２レンズ群は、少なくとも、ｎｄ＞１．８を満足する凹レンズ１枚と、ｎｄ＞１．７５を満足する凹レンズ１枚を備えていることが好ましい。このようにすることで前記第２レンズ群のｄ線屈折率を強化して、この実施の形態にかかるズームレンズの全長を短くすることが可能になる。なお、この条件を満足することで、前記第２レンズ群で発生する色収差が大きくなるおそれがある。しかし、前記第３レンズ群が条件式（２）を満足しさえすれば、前記第２レンズ群で発生する色収差を良好に補正することができるので、支障はない。
【００３３】
以上説明した各条件を満足することにより、この実施の形態のズームレンズは、光学系の小型化を維持したまま、８倍以上の変倍比と広角端における３０度以上の半画角の確保を実現し、しかも色収差を良好に補正できるようになる。
【実施例】
【００３４】
以下、この発明にかかるズームレンズの実施例を示す。
【００３５】
図１は、この発明の実施例にかかるズームレンズの構成を示す光軸に沿う断面図である。このズームレンズは、図示しない物体側から順に、正の屈折力を有する第１レンズ群ＧＲ1、負の屈折力を有する第２レンズ群ＧＲ2、正の屈折力を有する第３レンズ群ＧＲ3、および正の屈折力を有する第４レンズ群ＧＲ4が配置されて構成される。第２レンズ群ＧＲ2と第３レンズ群ＧＲ3との間には、絞りＩＲが配置されている。また、第４レンズ群ＧＲ4と像面ＩＭＧとの間には、赤外線カットフィルタやローパスフィルタなどからなるフィルタＦＴが配置されている。このフィルタＦＴは必要に応じて配置されるものであり、不要な場合は省略可能である。また、像面ＩＭＧには、ＣＣＤやＣＭＯＳなどの撮像素子の受光面が配置される。
【００３６】
第１レンズ群ＧＲ1は、前記物体側から順に、負レンズＬ1（凹レンズ）、正レンズＬ2（凸レンズ）、および正レンズＬ3（凸レンズ）が配置されて構成されている。負レンズＬ1と正レンズＬ2とは接合されている。
【００３７】
第２レンズ群ＧＲ2は、前記物体側から順に、負レンズＬ4（凹レンズ）、負レンズＬ5（凹レンズ）、および正レンズＬ6が配置されて構成されている。負レンズＬ4は複合レンズになっており、像面ＩＭＧ側に非球面が形成されている。また、負レンズＬ5と正レンズＬ6とは接合されている。
【００３８】
第３レンズ群ＧＲ3は、前記物体側から順に、正レンズＬ7、正レンズＬ8、および負レンズＬ9が配置されて構成されている。正レンズＬ8と負レンズＬ9とは接合されている。また、正レンズＬ7の両面には非球面が形成されている。
【００３９】
第４レンズ群ＧＲ4は、正レンズＬ10で構成されている。正レンズＬ10の両面には非球面が形成されている。
【００４０】
このズームレンズは、第１レンズ群ＧＲ1および第３レンズ群ＧＲ3が固定されており、第２レンズ群ＧＲ2を光軸に沿って移動させることで変倍を行い、第４レンズ群ＧＲ4を光軸に沿って移動させることによってフォーカシングを行う。
【００４１】
以下、この実施例にかかるズームレンズに関する各種数値データを示す。
【００４２】
広角端における焦点距離＝3.3684mm
中間端における焦点距離＝10.2329mm
望遠端における焦点距離＝31.0927mm
画角（２ω）＝62.096°（広角端）〜21.236°（中間端）〜6.76°（望遠端）
【００４３】
（条件式（１）に関する数値）
ｆ1＝18.112
ｆ2＝-3.575
ｆ1／ｆ2＝-5.067(＜-5）
【００４４】
（条件式（２）に関する数値）
νｄmax＝64.2
νｄmin＝20.9
νｄmax−νｄmin＝43.3(＞40)
【００４５】
ｒ1＝21.24
ｄ1＝0.4    ｎｄ1＝1.92286    νｄ1＝20.9
ｒ2＝13
ｄ2＝2.76    ｎｄ2＝1.713    νｄ2＝53.9
ｒ3＝108.3
ｄ3＝0.2
ｒ4＝14.27
ｄ4＝1.84    ｎｄ3＝1.713    νｄ3＝53.9
ｒ5＝47.7
ｄ5＝0.6582(広角端)〜6.4746(中間端)〜10.1766（望遠端）
ｒ6＝72.7779
ｄ6＝0.4    ｎｄ4＝1.883    νｄ4＝40.8
ｒ7＝5.8067
ｄ7＝0.2    ｎｄ5＝1.5361    νｄ5＝41.2
ｒ8＝5.3021（非球面）
ｄ8＝1.4154
ｒ9＝-5.82
ｄ9＝0.42    ｎｄ6＝1.883    νｄ6＝40.8
ｒ10＝5.5
ｄ10＝1.5    ｎｄ7＝1.92286    νｄ7＝20.9
ｒ11＝-32.28
ｄ11＝10.1076(広角端)〜4.2912(中間端)〜0.5892（望遠端）
ｒ12＝∞（絞り）
ｄ12＝2.559
ｒ13＝7.9064（非球面）
ｄ13＝1.5    ｎｄ8＝1.806105    νｄ8＝40.743
ｒ14＝-50.7074（非球面）
ｄ14＝1.059
ｒ15＝8.6244
ｄ15＝1.6    ｎｄ9＝1.5168    νｄ9＝64.2
ｒ16＝-14.1377
ｄ16＝0.4    ｎｄ10＝1.92286    νｄ10＝20.9
ｒ17＝9.93336
ｄ17＝3.8092(広角端)〜0.9164(中間端)〜3.1146（望遠端）
ｒ18＝7.72481（非球面）
ｄ18＝1.6    ｎｄ11＝1.58313    νｄ11＝59.46
ｒ19＝-19.1905（非球面）
ｄ19＝3.24(広角端)〜5.1327(中間端)〜2.9346（望遠端）
ｒ20＝∞
ｄ20＝1.73    ｎｄ12＝1.5168    νｄ12＝64.2
ｒ21＝∞
ｄ21＝1.58
ｒ22＝∞（像面）
【００４６】
円錐係数（Ｋ）および非球面係数（Ａ，Ｂ，Ｃ，Ｄ）
（第８面）
Ｋ＝0.9726，
Ａ＝3.1253×10-4，Ｂ＝-2.7422×10-4，
Ｃ＝6.9775×10-5，Ｄ＝-6.0616×10-6
（第１３面）
Ｋ＝0.9317，
Ａ＝-1.0436×10-4，Ｂ＝0，
Ｃ＝0，Ｄ＝0
（第１４面）
Ｋ＝-49.2625，
Ａ＝1.4076×10-4，Ｂ＝-7.1798×10-6，
Ｃ＝3.4691×10-7，Ｄ＝0
（第１８面）
Ｋ＝0.6114，
Ａ＝3.6040×10-4，Ｂ＝0，
Ｃ＝0，Ｄ＝0
（第１９面）
Ｋ＝-66.9149，
Ａ＝3.1686×10-4，Ｂ＝9.2886×10-5，
Ｃ＝-4.2847×10-6，Ｄ＝0
【００４７】
なお、上記数値データにおいて、ｒ1，ｒ2，・・・・は各レンズ、絞り面などの曲率半径、ｄ1，ｄ2，・・・・は各レンズ、絞り、光学フィルタなどの肉厚またはそれらの面間隔、ｎｄ1，ｎｄ2，・・・・は各レンズ、光学フィルタなどのｄ線屈折率、νｄ1，νｄ2，・・・・は各レンズ、光学フィルタなどのｄ線アッベ数を示している。
【００４８】
また、上記各非球面形状は、非球面の深さをＺ、光軸と垂直な高さをＹとし、光の進行方向を正とするとき、以下に示す式により表される。
【００４９】
【数１】
2009180897.tif 000003
【００５０】
ただし、Ｒは近軸曲率半径、Ｋは円錐係数、Ａ，Ｂ，Ｃ，Ｄはそれぞれ４次，６次，８次，１０次の非球面係数である。
【００５１】
また、図２は、この発明の実施例にかかるズームレンズの球面収差図である。図３は、この発明の実施例にかかるズームレンズの非点収差図および歪曲収差図である。図４は、この発明の実施例にかかるズームレンズの倍率の色収差図である。
【００５２】
以上説明したように、この発明によれば、簡易な構成で、光学系の小型化を維持したまま、８倍以上の変倍比と広角端における３０度以上の半画角の確保を実現し、良好な色収差補正が可能なズームレンズが提供できる。
【００５３】
また、この発明にかかるズームレンズは、非球面が形成されたレンズを含んで構成されているため、少ないレンズ枚数で、諸収差を良好に補正することができる。
【産業上の利用可能性】
【００５４】
以上のように、この発明にかかるズームレンズは、ビデオカメラなどの小型化が要求される撮像装置に有用であり、特に、高変倍化が要求されるビデオカメラなどに好適である。
【図面の簡単な説明】
【００５５】
【図１】この発明の実施例にかかるズームレンズの構成を示す光軸に沿う断面図である。
【図２】この発明の実施例にかかるズームレンズの球面収差図である。
【図３】この発明の実施例にかかるズームレンズの非点収差図および歪曲収差図である。
【図４】この発明の実施例にかかるズームレンズの倍率の色収差図である。
【符号の説明】
【００５６】
ＧＲ1  第１レンズ群
ＧＲ2  第２レンズ群
ＧＲ3  第３レンズ群
ＧＲ4  第４レンズ群
Ｌ1，Ｌ4，Ｌ5，Ｌ9  負レンズ
Ｌ2，Ｌ3，Ｌ6，Ｌ7，Ｌ8，Ｌ10  正レンズ
ＩＭＧ  像面
ＩＲ  絞り
ＦＴ  フィルタ
Ｓ  球欠的像面
Ｔ  子午的像面
【図１】
2009180897.tif 000004
【図２】
2009180897.tif 000005
【図３】
2009180897.tif 000006
【図４】
2009180897.tif 000007